(57)【要約】【課題】アスコットタイの着用に慣れていない人であっても、簡単に着用でき、襟元をおしゃれに装飾することができ、また、また、簡単に取り外すことができて、ポケットチーフとしても使用可能なアスコットタイを提案する。【解決手段】下端側に頂点部、上端側に底辺部を有する逆三角形状の布地と、前記布地の前記底辺部の両端からそれぞれ伸びて着用者の首回りに周回される第一の留め紐及び、第二の留め紐とからなり、前記第一の留め紐は、表面側あるいは背面側のいずれか一方に掛止部を備えており、前記第二の留め紐は、背面側あるいは表面側のいずれか一方に前記掛止部に掛止される被掛止部を備えており、前記布地が前記着用者の首元に位置する状態で、前記第一の留め紐と第二の留め紐とを前記着用者の首回りに周回し、前記掛止部と被掛止部とを掛止するアスコットタイ。【選択図】図１
2015067908.tif 000002
【特許請求の範囲】
【請求項１】
下端側に頂点部、上端側に底辺部を有する逆三角形状の布地と、
前記布地の前記底辺部の両端からそれぞれ伸びて着用者の首回りに周回される第一の留め紐及び、第二の留め紐とからなり、
前記第一の留め紐は、表面側あるいは背面側のいずれか一方に掛止部を備えており、
前記第二の留め紐は、背面側あるいは表面側のいずれか一方に前記掛止部に掛止される被掛止部を備えており、
前記布地が前記着用者の首元に位置する状態で、前記第一の留め紐と第二の留め紐とを前記着用者の首回りに周回し、前記掛止部と被掛止部とを掛止する
ことを特徴とするアスコットタイ。
【請求項２】
前記掛止部及び、前記被掛止部は、面ファスナーで形成されていることを特徴とする請求項１記載のアスコットタイ。
【発明の詳細な説明】
【技術分野】
【０００１】
この発明はアスコットタイに関し、特に、簡単に着用でき、また、簡単に取り外すことができ、ポケットチーフとしても使用可能なアスコットタイに関する。
【背景技術】
【０００２】
アスコットタイは襟元をおしゃれに装飾するものとして従来から使用されている。しかし、アスコットタイの着用に慣れていない人にとっては、襟元を装飾するおしゃれなアイテムとしてアスコットタイを着用することは簡単ではなかった。
【０００３】
そこで、従来から、初めて使用する人にも簡単に着用できるアスコットタイについての提案がなされている（特許文献１）。
【先行技術文献】
【特許文献】
【０００４】
【特許文献１】登録実用新案第３１１９９６９号公報
【発明の概要】
【発明が解決しようとする課題】
【０００５】
この発明は、アスコットタイの着用に慣れていない人であっても、簡単に着用でき、襟元をおしゃれに装飾することができ、また、また、簡単に取り外すことができて、ポケットチーフとしても使用可能なアスコットタイを提案することを目的にしている。
【課題を解決するための手段】
【０００６】
前記目的を達成するため、この発明が提案するネクタイは以下の通りのものである。
【０００７】
下端側に頂点部、上端側に底辺部を有する逆三角形状の布地と、
前記布地の前記底辺部の両端からそれぞれ伸びて着用者の首回りに周回される第一の留め紐及び、第二の留め紐とからなり、
前記第一の留め紐は、表面側あるいは背面側のいずれか一方に掛止部を備えており、
前記第二の留め紐は、背面側あるいは表面側のいずれか一方に前記掛止部に掛止される被掛止部を備えており、
前記布地が前記着用者の首元に位置する状態で、前記第一の留め紐と第二の留め紐とを前記着用者の首回りに周回し、前記掛止部と被掛止部とを掛止する
ことを特徴とするアスコットタイ。
【発明の効果】
【０００８】
この発明によれば、アスコットタイの着用に慣れていない人であっても、簡単に着用でき、襟元をおしゃれに装飾することができ、また、また、簡単に取り外すことができて、ポケットチーフとしても使用可能なアスコットタイを提供することができる。
【図面の簡単な説明】
【０００９】
【図１】本発明の一実施形態に係るアスコットタイの正面図。
【図２】本発明の一実施形態に係るアスコットタイの背面図。
【図３】本発明の一実施形態に係るアスコットタイが着用された状態を説明する一部を省略した斜視図。
【発明を実施するための形態】
【００１０】
以下、添付図面を参照して本発明の好ましい実施形態を説明する。
【００１１】
本発明のアスコットタイ１は、図１図示のように、下端側に頂点部、上端側に底辺部を有する逆三角形状の布地２と、布地２の上端側の底辺部の両端からそれぞれ伸びて着用者の首回りに周回される第一の留め紐３及び、第二の留め紐４とを備えている。
【００１２】
布地２は、本発明のアスコットタイ１をアスコットタイとして着用するだけではなく、ポケットチーフとして使用することも考慮して、シルク製、合成繊維製などとすることができる。
【００１３】
また、布地２の表面側である表面２ａには、おしゃれなアスコットタイとなって、着用した際に襟元のチャームポイントになったり、ポケットチーフとして使用する際におしゃれな装飾になるように、適宜、デザイン、装飾を凝らしておくことができる。
【００１４】
本発明のアスコットタイ１では、第一の留め紐３は、表面側あるいは背面側のいずれか一方に掛止部５ｂを備え、第二の留め紐４は、背面側あるいは表面側のいずれか一方に掛止部５ｂに掛止される被掛止部５ａを備えている。
【００１５】
図示の実施形態では、第一の留め紐３は、背面側３ｂに掛止部５ｂを備え、第二の留め紐４は、表面側４ａに被掛止部５ａを備えている。
【００１６】
図３は、本発明のアスコットタイ１が着用された状態を説明する一部を省略した斜視図である。布地２が着用者の首元に位置する状態で、第一の留め紐３と第二の留め紐４とを着用者の首回りに周回し、首の後ろで、掛止部５ｂと被掛止部５ａとを掛止する。
【００１７】
掛止部５ｂ、被掛止部５ａは着用者の首の後ろで掛止、固定されることになるが、掛止部５ｂ、被掛止部５ａを面ファスナーのように、簡単に掛止、掛脱できる部材で形成しておくことにより、簡単に掛止して着用し、また簡単に掛脱して取り外すことができる。
【００１８】
また、図１、図２図示のように、掛止部５ｂ、被掛止部５ａを、第一の留め紐３の背面側３ｂ、第二の留め紐４の表面側４ａの、それぞれ、長手方向の全長にわたるように形成しておけば、着用者の首回りのサイズに合わせて掛止位置を調整することができるので有利である。
【００１９】
前記のようにして、第一の留め紐３と第二の留め紐４とを着用者の首回りに周回し、掛止部５ｂと被掛止部５ａとを首の後ろで掛止した後、布地２の先端を着用者の襟元におさめ、首回りを整える。
【００２０】
そして、ふんわりと形を整えて、アスコットタイ１の着用完成にすることができる（図３）。
【００２１】
このように、本発明のアスコットタイ１は、極めて簡単に装着できるので、アスコットタイの着用に慣れていない人であっても、簡単に着用でき、襟元をおしゃれに装飾することができる。
【００２２】
また、取り外す際には、首の後ろでの、掛止部５ｂと被掛止部５ａとの間の掛止状態を解除する（掛脱する）だけで簡単に取り外すことができる。
【００２３】
以上、本発明の好ましい実施形態を添付図面を参照して説明したが、本発明はかかる実施形態に限定されるものではなく、特許請求の範囲の記載から把握される技術的範囲において種々に変更可能である。
【符号の説明】
【００２４】
１    アスコットタイ
２    布地
２ａ  布地の表面
２ｂ  布地の背面
３    第一の留め紐
４    第二の留め紐
５ｂ  掛止部
５ａ  被掛止部
３ａ  第一の留め紐の表面側
３ｂ  第一の留め紐の背面側
４ａ  第二の留め紐の表面側
４ｂ  第二の留め紐の背面側
【図１】
2015067908.tif 000003
【図２】
2015067908.tif 000004
【図３】
2015067908.tif 000005